(57)【要約】      （修正有）【課題】電気機器を内装した筺体とこの筺体に対し蝶番にて開閉自在にした扉体とからなり、蝶番部分からの塵埃・水分の侵入防止を簡単に低コストで実現した電気機器収納用筺体の開閉自在の扉体密閉装置を提供する。【解決手段】開口部を備え内部に電気機器を装着した筺体１と、蝶番３の回転支点となる支軸３１を扉体４の内側に位置せしめ、蝶番のヒンジ部材を筺体内部に固着することによって扉体を蝶番の回転支点を中心に開口部を開閉自在に覆うものであって、主パッキン５を扉体の内面に装着し、蝶番の位置に対応する筺体の開口部周縁に補助パッキン６を装着し、扉体を閉成した際扉体の外側面が補助パッキンに密着されるとともに主パッキンと補助パッキンが接触するよう構成した。従って主パッキンを装着できない蝶番部分の密閉が補助パッキンで補うことができ、又すでに設置されている電気機器に対しても簡単に防塵を行うことができる。【選択図】図４
0003187843.tif 000002
【実用新案登録請求の範囲】
【請求項１】
少なくとも一面に開口部を備え内部に電気機器を装着した筺体と、適数個の蝶番により開閉自在とした扉体とからなり、前記蝶番の回転支点となる支軸を前記扉体の内側に位置せしめるとともに前記蝶番の第１のヒンジ部材を前記扉体の内側に固着すし、前記蝶番の第２のヒンジ部材を筺体内部に固着することによって前記扉体を前記蝶番の支軸を中心に前記開口部を開閉自在に覆うものであって、
前記扉体を閉成した際、前記開口部周縁面に密着する主パッキンを扉体に装着し、前記蝶番の位置に対応する前記筺体の開口部周縁面に補助パッキンを装着し、前記扉体を閉成した際その外側面が前記補助パッキンに密着されるとともに前記主パッキンと前記補助パッキンの一部が接触するよう構成したことを特徴とする電気機器収納用筺体の開閉自在の扉体密閉装置。
【請求項２】
前記補助パッキンは前記蝶番の長さ寸法より長寸法とし前記蝶番の上下端よりも延出させたことを特徴とする請求項１に記載の電気機器収納用筺体の開閉自在の扉体密閉装置。
【考案の詳細な説明】
【技術分野】
【０００１】
本考案は、配電盤、分電盤、制御盤、各種電源機器などの電気機器収納用筺体において、該筺体の開口部を開閉自在に覆う扉体と筺体開口部周縁との隙間をパッキンで密閉し、外部からの水滴や塵埃等が筺体内へ侵入するのを防止する構造に関する。
【背景技術】
【０００２】
一般に電気機器収納用筺体の前面には大きな開口部が開けられ、この開口部を開閉自在な扉体にて覆われている。そして扉体の右側端または左側端と筺体前面の右側端または左側端との間に蝶番を取り付け、この蝶番の支軸を中心に扉体の開閉動作を行っている。
その上扉体の内面と筺体全面開口部周面との間にパッキンを介在させて防水・防塵対策を施している。（特許文献１参照）
【０００３】
しかしながら、特許文献1に示される蝶番では、支軸に装着された一対のヒンジ部材の隙間から水が入ったり、蝶番を取り付ける螺子等が錆びたりする。しかも電気機器収納用筺体内に冷却用や換気用のファンを設けていると、蝶番の隙間から塵埃や水分が入り込む。
【０００４】
一方、特許文献２に示すような蝶番を利用して扉体を開閉する構造の扉体密閉装置が存在する。即ち、蝶番を扉体側に装着し、一つのヒンジ部材を延出して筺体の開口周面の前面に取り付けるようなものが存在する。かかる特許文献２に示す構造では特許文献１に生じるような不具合は生じない。しかし蝶番のヒンジ部材を筺体の開口部周面の前面に取り付けるようにしているので、筺体の開口部周面にはヒンジ部材を取り付けるだけの面積（幅）が必要になり、筺体の開口部が小さくなるかその開口部を大きくすると筺体が必要以上に大型化し配電盤等の電気機器の設置場所に制約を受けることになる。
【先行技術文献】
【特許文献】
【０００５】
【特許文献１】特開２００３−６７８６０号公報
【特許文献２】特開平６−２４５３３３号公報
【考案の概要】
【考案が解決しようとする課題】
【０００６】
そこで本考案は、特許文献２に示すような蝶番のヒンジ部材を筺体の内側に取り付けることで特許文献２に生じる課題を解決し、さらに特許文献１に生じる課題を解決した電気機器収納用筺体の扉体密閉装置を提供するものである。
【課題を解決するための手段】
【０００７】
上記課題を解決するために成された本考案に係る扉体密閉装置は  少なくとも一面に開口部を備え内部に電気機器を装着した筺体と、適数個の蝶番により開閉自在とした扉体とからなり、前記蝶番の回転支点となる支軸を前記扉体の内側に位置せしめるとともに前記蝶番の第１のヒンジ部材を前記扉体の内側に固着し、前記蝶番の第２のヒンジ部材を筺体内部に固着することによって前記扉体を前記蝶番の支軸を中心に前記開口部を開閉自在に覆うものであって、
前記扉体を閉成した際、前記開口部周縁面に密着する主パッキンを扉体に装着し、前記蝶番の位置に対応する前記筺体の開口部周縁面に補助パッキンを装着し、前記扉体を閉成した際その外側面が前記補助パッキンに密着されるとともに前記主パッキンと前記補助パッキンの一部が接触するよう構成したことを特徴としている。
【０００８】
また本考案は、補助パッキンを蝶番の長さ寸法より長寸法とし蝶番の上下端よりも延出させたことを特徴としている。
【考案の効果】
【０００９】
上述した構造にすることにより、主パッキンを装着できない蝶番部分の密封が補助パッキンで補うことができ、筺体内部への塵埃や水分の侵入を阻止することができる。しかも筺体の開口部を小さくしたり、あるいは逆に開口部を大きくしようとして不必要に筺体自身を大型にせずとも防塵等を達成することができる。
さらに、すでに設置して使用している電気機器（防塵を考慮していない構造）に対しても本考案の補助パッキンを装着するだけで簡単に防塵を行うことができる。
【図面の簡単な説明】
【００１０】
【図１】本考案にかかる電気機器収納用筺体の扉体密閉装置を備えた配電盤全体の斜視図。
【図２】図１の扉体を開いた状態の配電盤の拡大斜視図。
【図３】図２とは異なる方向から視た斜視図。
【図４】図１において扉体を閉成した状態の扉体密閉装置の拡大断面図。
【図５】図４において扉体を開いた状態の一部断面した端面図。
【図６】本考案に使用する補助パッキンの分解斜視図。
【考案を実施するための形態】
【００１１】
以下、本考案に係る電気機器収納用筺体の扉体密閉装置の一実施例として、配電盤の筺体を挙げて添付図面を参照して説明する。１は配電用の電気機器が収納された配電盤の筺体で、主に金属製骨組み１ａとその骨組み１ａに取り付けられた外装板１ｂとから構成されている。この筺体１の前面は大きな開口部２が開けられ、上下一対の蝶番３にて筺体の右側縁に対して開閉自在に取り付けた扉体４にて覆われている。
【００１２】
図１において、扉体４にはその開放端側にハンドル７が設けられ、このハンドル７には周知の扉固定金具（図示せず）が取り付けられている。そしてハンドル７を操作することにより扉体４を開閉自在にし、また扉体４を閉成した際、この扉固定金具により扉体４を閉成状態で保持するようになっている。
【００１３】
扉体４は、板金の周縁を内側にコ字状に折曲して筺体１の開口部２の周縁面２１に対向する折り返し面４１を形成する。さらに蝶番３を取り付ける部分の折り返し面４１を切除した切欠き部４２を上下２か所に形成する。（図２参照）また折り返し面４１にはゴム等の柔軟性のある主パッキン５が取り付けられ、扉体４が筺体１の開口部２を覆った際、該主パッキン５が開口部２の周縁面２１と接触して筺体１内を機密に保持するようにしている。
【００１４】
上記した主パッキン５は、図４に示すように断面Ｕ字状の取付片５ａと、筺体１の開口部周縁面２１に当接するＯ字状の密封部５ｂとを一体的に形成する。そして取り付け片５ａのＵ字状部分を扉体４の折り返し面４１の端縁４１１に挿着して取り付けるのである。
【００１５】
扉体４の折り返し面４１には、蝶番３を取り付けるためと蝶番の動作を妨げないようにするために２か所に切欠き部４２を設けているために、該切欠き部４２には主パッキン５が存在しない。そのため扉体４を閉成しても完全には筺体１内を密閉にすることができない。
【００１６】
従って考案者は、このような切欠き部４２が存在する扉体４において、筺体１や扉体４自身には大きな構造的な改良を加えることのない簡単な構造の扉体密閉装置を考案したものである。以下本考案の扉体密閉装置について説明する。
【００１７】
まず、筺体１の前方右側部と扉体３の右側端との間で、かつ上下２か所に装着された蝶番３について説明する。この蝶番３は回転支点となる支軸３１と第１のヒンジ部材３２と第２のヒンジ部材３３とから構成されている。（図２、図４参照）
【００１８】
第１のヒンジ部３２は支軸３１に対し回動自在に遊貫された筒状体で構成され、第２のヒンジ部３３は回動自在に遊貫された筒状体とこの筒状体から延出したＵ字状の連結片３３１から構成されている。
【００１９】
そして蝶番３を扉体４の折り返し部４１の切欠き部４２のところに縦方向に設置し、図２、図４で示すように筒状体で構成された第１のヒンジ部材３２を扉体４の内面に溶接により固着する。一方、第２のヒンジ部材３３のＵ字状の連結片３３１は扉体４の切欠き部４２を通り、さらに筺体１の開口部２から筺体内部に延出して筺体１の開口部２周縁面２１の裏面に溶接により固定する。なおヒンジ部材を溶接により固着したが、これに限ることなく、ボルト止めや螺子止めによる固定でもよい。
【００２０】
このように、蝶番３の第１、第２のヒンジ部材３２、３３を扉体の内面と筺体内部に固着することにより、蝶番３は筺体１や扉体４の外部に露出することなく装着することができので、蝶番取り付け部分からの水分の侵入はなく、又見栄えもよい配電盤を提供することができる。
【００２１】
次に、前述したように切欠き部４２のところには主パッキン５がないので、扉体４を閉成してもその個所は密閉することができない。そこでその切欠き部４２のところを補助パッキン６で密閉するのである。以下その補助パッキン６を説明する。
【００２２】
図６に補助パッキン６の分解斜視図を示している。補助パッキン６は板金からなる基体６１を折曲加工して上下に一対の横取付片６２と後方に縦取付片６３を形成する。そして、この一対の横取付片６２上と縦取付片６３の内面に３個の角柱状のスポンジ６４ａ，６４ｂ，６４ｃを貼着して構成してある。各取付片６２，６３に貼着された３つのスポンジ６４ａ，６４ｂ，６４ｃは部分的に相互に接触し隙間のない構成になっている。すなわち縦方向のスポンジ６４ｂの上部と下部はそれぞれ横方向のスポンジ６４ａ，６４ｃに接触させている。（図４参照）
【００２３】
補助パッキン６の基体６１の縦寸法は蝶番３の長さ寸法より長寸法、すなわち切欠き部４２の縦方向の幅よりも長寸法にしてある。なお、上述した実施例では３個のスポンジを貼り付けているが３個のスポンジを一体化させて１つの固まりのスポンジを成型して構成してもよい。
【００２４】
補助パッキン６は基体６１に設けた取り付け穴６５を用いて筺体１の開口部の周縁面２１の前面でかつ扉体４の切欠き部４２に対応する部分に螺子８止めにて装着する。すなわち横方向のスポンジ６４ａ，６４ｃが筺体の開口周縁面２１と扉体の折り返し面４１との間に位置し、縦方向のスポンジ６４ｂが扉体４の右側面に位置するように補助パッキン６を筺体１側に装着するのである。
【００２５】
補助パッキン６を設けたことにより、扉体４を閉成すると、扉体４の切欠き部４２以外の開口部２の周縁は主パッキン５で密封される。そして切欠き部のところは補助パッキン６により密封される。すなわち図３、図４に示すように蝶番３の上下のところにある扉体の折り返し片４１の前面が補助パッキン６の上下の横方向のスポンジ６４ａ，６４ｃに接触するとともに縦方向のスポンジ６４ｂが切欠き部４２のところの扉体３の側面に接触する。
【００２６】
また扉体３を閉成した際、図４に示すように横方向のスポンジ６４ａ，６４ｃの前面部が切欠き部４２の上下に位置する主パッキン５の密封部５ｂと接触することにより、すなわち上下の横方向のスポンジ６４ａ，６４ｃと縦方向のスポンジ６４ｂにより切欠き部４２を外方から覆い且つ上下の横方向のスポンジ６４ａ，６４ｃと主パッキン５の密封部５ｂと接触することにより、主パッキンで密封されなかった蝶番部分を補助パッキンで密封することができるのである。
【００２７】
上述したように、蝶番の構造を変えなくても、又蝶番の取り付け位置を変えなくても、簡単に筺体内を密閉することができる。また上述した補助パッキンを作成しておけば、既存の配電盤にも簡単に取り付けることができる。
【符号の説明】
【００２８】
１    …筺体
２    …開口部
２１  …開口周縁面
３    …蝶番
３１  …支軸
３２  …第１のヒンジ部材
３３  …第２のヒンジ部材
４    …扉体
４１  …対向面
４２  …切欠き部
５    …主パッキン
５ａ  …取付片
５ｂ  …Ｏ字状の密封部
６    …補助パッキン
６４ａ…横方向のスポンジ
６４ｂ…縦方向のスポンジ
６４ｃ…横方向のスポンジ
７    …ハンドル
【図１】
0003187843.tif 000003
【図２】
0003187843.tif 000004
【図３】
0003187843.tif 000005
【図４】
0003187843.tif 000006
【図５】
0003187843.tif 000007
【図６】
0003187843.tif 000008